(57)【要約】      （修正有）【課題】暗い隠蔽部でも簡単且つ明瞭にパノラマ画像を撮影できる撮影器具及びパノラマ撮影装置を提供する。【解決手段】パノラマ撮影装置１は、基台３に設けたスペーサ板にパノラマカメラ５を設置した。パノラマカメラ５の三脚穴に基台３のスペーサ板と底板の支持穴を通してスペーサビスをねじ込み固定した。パノラマカメラ５の周囲に略円筒状に形成された支持筒４を設けた。支持筒４の外周面には略等間隔にＬＥＤランプ２０が設置されて全周方向を均等に照明する。支持筒４の上面に天板７が装着され、基台３に取り付けたパノラマカメラ５の上半部が天板７の中央孔部７ａから外側に突出している。パノラマカメラ５の上半部には魚眼レンズ６が対向する位置に配設されている。パノラマカメラ５に無線ＬＡＮを介してスマートフォン２４が接続されている。スマートフォン２４でパノラマカメラ５を操作すると共にパノラマ撮影画像を表示する。【選択図】図１
0003212609.tif 000002
【実用新案登録請求の範囲】
【請求項１】
パノラマカメラを装着する取り付け部と、
前記取り付け部に設けられていて略円筒状をなす支持筒と、
前記支持筒の上部に設置されていて前記パノラマカメラの撮影レンズを突出させるための孔部を形成した天板と、
前記支持筒の外周面に装着された照明具と、
前記取り付け部を支持する支持部材と、
を備えたことを特徴とする撮影器具。
【請求項２】
前記天板は前記照明具よりも径方向外側に突出している請求項１に記載された撮影器具。
【請求項３】
前記取り付け部は前記照明具よりも径方向外側に突出して形成されている請求項１または２に記載された撮影器具。
【請求項４】
前記取り付け部と天板の少なくとも一方は多角形に形成されている請求項２に記載された撮影器具。
【請求項５】
前記照明具は前記支持筒の周方向及び上下方向に等間隔に設置されている請求項１から４のいずれか１項に記載された撮影器具。
【請求項６】
前記照明具はＬＥＤランプである請求項１から５のいずれか１項に記載された撮影器具。
【請求項７】
前記支持筒の内側には内側受け部が配設され、前記照明具が前記支持筒の内側に引っ込むことを阻止している請求項１から６のいずれか１項に記載された撮影器具。
【請求項８】
前記支持部材は、前記撮影器具を自立させる脚部である請求項１から７のいずれか１項に記載された撮影器具。
【請求項９】
前記支持部材は、前記取り付け部に着脱可能な支持棒である請求項１から８のいずれか１項に記載された撮影器具。
【請求項１０】
取り付け部に装着するパノラマカメラと、
前記取り付け部に設けられていて前記パノラマカメラの周囲を囲う略円筒状の支持筒と、
前記支持筒の上部に設置されていて前記パノラマカメラの撮影レンズを外部に突出させる天板と、
前記支持筒の外周面に装着された照明具と、
前記取り付け部を支持する支持部材と、
を備えたことを特徴とするパノラマ撮影装置。
【請求項１１】
前記パノラマカメラに無線ＬＡＮを介して接続されていて前記パノラマカメラの操作または／及びパノラマ撮影画像を表示する無線情報端末を、
更に備えた請求項１０に記載されたパノラマ撮影装置。
【考案の詳細な説明】
【技術分野】
【０００１】
本考案は、隠蔽部等の暗い場所や広がりのある場所等であってもパノラマ撮影を行うことができる撮影器具と、パノラマカメラでパノラマ撮影を行うパノラマ撮影装置に関する。
【背景技術】
【０００２】
従来、建物の天井内や上げ床内、或いは穴やくぼみ等のピットの施工状況を確認するためにデジタルカメラ等で写真撮影をしていた。例えば下記特許文献１に記載された建物点検装置では、建物の要点をカメラで撮影し、撮影画像をケーブルを介してモニターで表示していた。ケーブルの先端側にはフレキシブルチューブを介してカメラが接続されており、カメラを首振り調節可能にしている。ケーブルの手持ち側にはモニターを着脱可能に取り付けた手持ちポールが設置されている。
【０００３】
また、特許文献２に記載されたパノラマ画像データ生成装置では、デジタルカメラで撮影された複数の画像データを加工することなくマッピングしてパノラマ画像データを作成し、パノラマ画像データを出力していた。これによって建物内部の所定位置から全方位画像を撮影して表示できるようしている。
【先行技術文献】
【特許文献】
【０００４】
【特許文献１】特開２０１２−１００１４８号公報
【特許文献２】特開２０１２−２２１３２４号公報
【考案の概要】
【考案が解決しようとする課題】
【０００５】
しかしながら、特許文献１に記載された建物点検装置では、隠蔽部の内部が暗いのでカメラのストロボを使用してもきれいに写すことはできなかった。しかも、撮影する対象がカメラのファインダーに入っているか否かの目視確認ができないまま、勘で撮影しなければならなかったので、隠蔽部の必要な写真を撮影するのに手間取ることが多かった。また、隠蔽部の全方位の写真を１度に撮影できず、角度を変えて全周を複数回にわたって撮影する必要があった。
【０００６】
特許文献２に記載されたパノラマ画像データ生成装置においても、デジタルカメラによって複数方向で複数の画像を撮影して、画像データを解析し組み合わせてパノラマ写真を生成するため、手間がかかるという不具合があった。しかも、撮影画像について隠蔽部のような暗い場所の画像データを明瞭に撮影することについては開示がなく、このようなパノラマ写真の撮影と生成は困難であった。
【０００７】
本考案は、上述した課題に鑑みてなされたものであり、暗い隠蔽部でも簡単且つ明瞭にパノラマ画像を撮影できるようにした撮影器具とパノラマ撮影装置を提供することを目的とする。
【課題を解決するための手段】
【０００８】
本考案に係る撮影器具は、パノラマカメラを装着する取り付け部と、取り付け部に設けられていて略円筒状をなす支持筒と、支持筒の上部に設置されていてパノラマカメラの撮影レンズを突出させるための孔部を形成した天板と、支持筒の外周面に装着された照明具と、取り付け部を支持する支持部材と、を備えたことを特徴とする。
本考案によれば、照明具付きの支持筒を取り付けた撮影器具の取り付け部にパノラマカメラを取り付けて、手の届かない高い場所や撮影者が移動できない狭い場所等に撮影器具を移動させ、照明具で全周囲の撮影対象物を明るく照明することでパノラマカメラによって撮影対象物を全周、全天球に亘って明るい画像として撮影することができる。また、撮影器具を支持部材で支持して移動させることで、高い場所や狭く暗い場所等の内部で周囲環境を全周に亘って明るく照明した状態で撮影できる。
【０００９】
また、天板は照明具よりも径方向外側に突出していることが好ましい。
撮影者から離れた場所や狭い場所等を撮影する場合、支持部材で支持した撮影器具を離れた場所や狭い場所等に挿入させる際に、支持筒の照明具より突出する天板で照明具が穴や壁面や周囲の部材等に接触して破損しないように保護することができる。
【００１０】
また、取り付け部は照明具よりも径方向外側に突出して形成されていることが好ましい。
撮影後に、撮影器具を離れた場所や狭い場所等から引き戻す場合、支持筒の照明具より突出する取り付け部で照明具が穴や壁面や周囲の部材等に接触して破損しないように保護することができる。
【００１１】
また、取り付け部と天板の少なくとも一方は多角形に形成されていてもよい。
撮影器具を横に置いた際に、支持筒が略円筒状でも多角形の取り付け部または天板で転がることを防止できる。
【００１２】
また、照明具は支持筒の外周面の周方向及び上下方向に等間隔に複数設置されていることが好ましい。
支持筒の照明具が周方向及び上下方向に等間隔に設置されていると、全周囲の環境に対する照明がより均一になり全体に均一な照明の画像を得られる。
なお、照明具はＬＥＤランプであると明るく長寿命で好ましい。
【００１３】
支持筒の内側には内側受け部が配設され、照明具が支持筒の内側に引っ込むことを阻止していることが好ましい。
撮影器具を天井の穴等に出入りさせる際、仮に穴のエッジに照明具が当たったとしても、支持筒の内側受け部によって照明具が内側に引っ込むことを阻止できる。
【００１４】
また、支持部材は、撮影器具を自立させる脚部であってもよい。
撮影器具を１または複数の脚部で自立させた状態で全周囲、全天球を撮影できる。
【００１５】
支持部材は、取り付け部に着脱可能な支持棒であってもよい。
支持棒を支持することで撮影器具を延ばして離れた場所や高い場所、更には狭い場所等を撮影できる。
【００１６】
本考案によるパノラマ撮影装置は、取り付け部に装着するパノラマカメラと、取り付け部に設けられていてパノラマカメラの周囲を囲う略円筒状の支持筒と、支持筒の上部に設置されていてパノラマカメラの撮影レンズを外部に突出させる天板と、支持筒の外周面に装着された照明具と、取り付け部を支持する支持部材と、を備えたことを特徴とする。
本考案では、撮影者から離れた場所や狭い場所等を撮影する場合、支持部材を介してパノラマカメラと照明具を装着したパノラマ撮影装置を撮影場所に移動させることができ、照明具で全周囲を照明した状態でパノラマカメラによって全周囲、全天球の環境を撮影できる。
【００１７】
また、パノラマカメラに無線ＬＡＮを介して接続されていてパノラマカメラの操作または／及びパノラマ撮影画像を表示する無線情報端末を、更に備えていることが好ましい。
本考案による撮影装置では、手元に保持した無線情報端末でパノラマカメラを無線ＬＡＮによって遠隔操作することでリモート撮影することができ、またパノラマカメラの撮影画像を無線情報端末の画面に表示することで撮影画像を手元で即座に目視確認できる。
【考案の効果】
【００１８】
本考案に係る撮影器具及びパノラマ撮影装置によれば、パノラマカメラを取り付け部に設置して支持筒と天板で囲ったものを支持部材によって支持して、或いは支持部材で例えば高い場所や狭く暗い場所等に延ばして、照明具によって全周に亘る撮影対象物をむらなく均一に照明しながらパノラマカメラで撮影することができる。
【図面の簡単な説明】
【００１９】
【図１】本考案の第一実施形態によるパノラマ撮影装置を示す説明図である。
【図２】図１に示すパノラマ撮影装置の要部正面図である。
【図３】図１に示すパノラマ撮影装置の側面図である。
【図４】図３に示すパノラマ撮影装置の縦断面図である。
【図５】撮影器具を基台方向から見た斜視図である。
【図６】パノラマ撮影装置の使用状態を示す図である。
【図７】変形例によるパノラマ撮影装置の要部斜視図である。
【図８】第二実施形態によるパノラマ撮影装置の撮影器具の分解斜視図である。
【図９】図８に示す天板ユニットの斜視図である。
【考案を実施するための形態】
【００２０】
以下、本考案の実施形態によるパノラマ撮影装置について添付図面に基づいて説明する。
図１乃至図６は本考案の実施形態によるパノラマ撮影装置１を示すものである。このパノラマ撮影装置１は、３本の自立脚部２の上端部に基台３が設けられている。自立脚部２は第一支持部材である。基台３にはその中央部の取り付け部に撮影カメラとしてパノラマカメラ５が設置され、その周囲には略円筒状の支持筒４が設置されている。支持筒４の上面にはパノラマカメラ５の撮影レンズを含む上半部を突出するための中央孔部７ａを形成した天板７が設置されている。
【００２１】
パノラマ撮影装置１のパノラマカメラ５は、図１乃至図４に示すように、例えば市販のパノラマカメラである。パノラマカメラ５は、本体５ａの両面が凸曲面をなす略平板状に形成されており、その両面の上部に撮影レンズとして魚眼レンズ６がそれぞれ取り付けられている。各魚眼レンズ６は支持筒４の天板７より高い位置に設置されていて、１８０度強の撮影画角で半球分の撮影対象物を撮影できる。そのため、両面の魚眼レンズ６によって同時に撮影することで、１回の撮影でパノラマカメラ５を取り囲む３６０度全周囲、全天球の撮影対象物を撮影することができる。
【００２２】
基台３は例えば１０角形等の多角形板状に形成されている。図４に示す基台３の底面に底板９が固定され、空間を挟んだ上面にスペーサ板１０が固定されている。スペーサ板１０の中央にパノラマカメラ５が載置され、スペーサ板１０と底板９に形成された中央の支持穴１０ａ，９ａにスペーサビス１２を嵌合することで、基台３上にパノラマカメラ５の三脚穴に取り付け部としてのスペーサビス１２の雄ねじ部を螺合させて固着できる。
スペーサビス１２は上部にパノラマカメラ５の三脚穴の雌ねじ部を螺合させる雄ねじ部が形成され、下部に第二支持部材としての支持棒１３を捩じ込むための雌ねじ部が形成されている。スペーサビス１２と底板９との間にはスペーサビス１２の抜け止め用のワッシャ、例えばナイロンワッシャ等が装着されている。或いは、ワッシャに代えて、底板９の支持穴９ａに雌ねじを形成してスペーサビス１２に形成した雄ねじを捩じ込んで固定してもよい（スペーサビス１２の抜け止めとなる）。
【００２３】
支持棒１３は、パノラマ撮影装置１で手の届かない場所を撮影するための適宜な長さ、例えば１６０ｃｍまで伸びる伸縮可能な手持ち用一脚であり、軽量なアルミ合金等で形成されている。支持棒１３はその下端部に別の支持棒１３をねじ固定等で連結してもよいし、その長さを伸縮させる長さ調整部を設けてもよい。支持棒１３は自撮り棒としての機能を有している。
【００２４】
また、図５において、基台３の底部の中央開口３ａを閉鎖する底板９はローレットねじ等の底部固定ねじ１４によって着脱可能とされている。底板９には所定間隔で例えば３カ所にインサートナット１５が形成され、このインサートナット１５に自立脚部２の雄ねじ部をねじ込み可能とされている。そのため、３本の自立脚部２によって基台３が自立支持されている。各自立脚部２の下端部に滑り止め用のゴム製等のキャップ１７を装着してもよい。本実施形態において、パノラマカメラ５を除く基台３、支持筒４、天板７、自立脚部２または支持棒１３で撮影器具１Ａを構成している。
各自立脚部２はその下部に別の自立脚部２を捩じ込み連結可能であり、基台３の支持高さを調整可能とされている。しかも、スペーサビス１２の下部に支持棒１３を取り付けることで自立脚部２が固定されていてもより遠くの位置にパノラマ撮影装置１を移動させることができる。
【００２５】
基台３の上部には略円筒状の支持筒４が設けられている。図４に示す例では、基台３と支持筒４は一体形成され、基台３の内側の開口に底板９とスペーサ板１０が間隙を開けて配設されている。なお、支持筒４と基台３を別体で形成してねじ等で連結して構成してもよい。支持筒４の内部にはパノラマカメラ５の両側に電池ケース１８が配設されている。
電池ケース１８内にパノラマカメラ５や後述するＬＥＤランプ２０の電源として使用される電池が収納されている。
支持筒４の外周面は略円筒状に形成されていてその周方向と上下方向に所定間隔で照明具として複数個のＬＥＤランプ２０が設置されている。ＬＥＤランプ２０の配列間隔は任意に設定できるが、周囲全周の照明を均一にして均一な明るさの撮影画像を得るために周方向と上下方向にそれぞれ略等間隔に設置することが好ましい。本実施形態では、図１乃至図３に示すように、ＬＥＤランプ２０は周方向に等間隔に配列されると共に上下方向に順次等間隔でしかも周方向にずらせて配列されている。
【００２６】
また、支持筒４の上部開口４ａを閉塞可能な天板７が設置されている。天板７は中央部にパノラマカメラ５の魚眼レンズ６を有する上半部を外部に突出させるための略楕円形状の中央孔部７ａが形成されている。更に、中央孔部７ａの周辺の裏面部には支持筒４内の電池ケース１８の外周側に位置する内側受け部７ｂが例えば略円弧板状に形成されている。天板７の内側受け部７ｂの下端部はスペーサ板１０に当接しているが、離間していてもよい。
内側受け部７ｂは略円筒状に形成され、支持筒４の内側に配設されている。これによって、パノラマ撮影装置１を天井の穴部等に挿脱する際に、支持筒４に装着されたＬＥＤランプ２０が穴部等のエッジに当接しても、支持筒４の内側に引っ込むことを内側受け部７ｂで受けて防止している。天板７の上面にＬＥＤランプ２０を点灯及び消灯させるための照明スイッチ２２が設置されている。
【００２７】
天板７は平面視で円板状に形成され、しかも支持筒４に設けたＬＥＤランプ２０よりも径方向外側に突出するように支持筒４より大径に形成されている。これにより、パノラマ撮影装置１を天井や上げ床の穴部、或いは穴やくぼみ等のピット内等の狭い穴部に挿入させる際に穴部のエッジにＬＥＤランプ２０が接触することを抑制できる。
また、支持筒４の下部に形成された平面視１０角形状の基台３も、支持筒４に設けたＬＥＤランプ２０よりも径方向外側に突出するように大径に形成することが好ましい。これにより、パノラマ撮影装置１を天井内や上げ床内、穴やくぼみ等のピット内等の狭い穴部から取り外す際に穴部のエッジにＬＥＤランプ２０が接触することを抑制できる。
【００２８】
このようなパノラマ撮影装置１のパノラマカメラ５をリモートで撮影するために、パノラマカメラ５は例えばＷｉ−Ｆｉ等の無線ＬＡＮを介して例えばスマートフォン２４（或いはタブレット端末等の各種の無線携帯端末やパソコン）等の無線情報端末と接続されている(図１参照)。撮影器具１Ａに装着したパノラマカメラ５をＷｉ−Ｆｉ等でスマートフォン２４と接続することで、パノラマカメラ５の撮影前の画像をスマートフォン２４で確認してリモートでシャッター操作できる。しかも、撮影後の画像を撮影者がスマートフォン２４の画面で即座に目視確認することができる。
なお、パノラマ撮影装置１のパノラマカメラ５はその一方または両方の天板７に魚眼レンズ６に対向する正面マーク(図示せず)を取り付けてもよい。これによって、撮影対象物の正面とパノラマカメラ５の正面とを位置決めできる。
【００２９】
本実施形態によるパノラマ撮影装置１は上述の構成を備えており、組み立てられた撮影器具１Ａに対し、天板７の中央孔部７ａにパノラマカメラ５を挿入する。パノラマカメラ５をスペーサ板１０上に載置し、底板９及びスペーサ板１０の支持穴９ａ，１０ａを通してスペーサビス１２をパノラマカメラ５の三脚穴にねじ込み固定する。
つぎに、基台３の底板９に形成した３つのインサートナット１５に３本の自立脚部２の雄ねじ部をそれぞれ捩じ込み固定する。これによって全周囲、全天球のパノラマ撮影が可能になる。また、支持棒１３で自撮り撮影する場合や、撮影位置が遠距離だったり、天井内や上げ床内、穴やくぼみ等のピット内等の狭い穴部内を撮影する場合には、スペーサビス１２の雌ねじ部に支持棒１３を捩じ込んで固定しておけばよい。
【００３０】
次にパノラマ撮影装置１の使用方法について説明する。
まず、例えば建物の天井内や上げ床内、或いは穴やくぼみ等のピットの施工状況を確認する場合、基台３に自立脚部２とは別に支持棒１３を取り付けておく。パノラマ撮影装置１の天板７の照明スイッチ２２をＯＮして支持筒４の外周面全周に配列した複数のＬＥＤランプ２０を点灯させて照明光を全周に亘って照射させる。この状態で、例えば天井内を撮影する場合には、図６に示すように、撮影者が床面に立って支持棒１３を把持して天井のダウンライト用の穴２６内にパノラマ撮影装置１を挿入させる。
【００３１】
このとき、支持筒４の外周面に配列された各ＬＥＤランプ２０は、支持筒４の天板７より径方向内側に引っ込んだ位置に保持されている。そのため、天井の穴２６にパノラマ撮影装置１を挿入する際、拡径された天板７が穴２６のエッジに接触したとしても、ＬＥＤランプ２０は穴２６のエッジに接触せず、パノラマカメラ５を含めて損傷させることなく挿入できる。仮に支持筒４に装着されたＬＥＤランプ２０が天井の穴２６のエッジに当接しても、ＬＥＤランプ２０が支持筒４の内側に引っ込むことを内側受け部７ｂで防止している。
【００３２】
天井内が暗くても支持筒４の外周面に配列したＬＥＤランプ２０によって全周を照明できるから、全周、全天球の撮影対象物を明るくして撮影できる。そして、パノラマカメラ５の全周の撮影画像を手に持ったスマートフォン２４の画面で確認し、リモート撮影を行うことができる。スマートフォン２４のシャッターボタンを押すことでパノラマカメラ５の両面の魚眼レンズ６による３６０度全周囲、全天球の撮影対象物画像を１回の操作で撮影できる。しかも、撮影画像はその場で、スマートフォン２４の画面で再生し確認できる。
【００３３】
なお、パノラマカメラ５は撮影対象物である天井内の３６０度全周囲を１度の撮影で撮影できるから、必ずしもパノラマカメラ５の正面方向を選定する必要はない。しかし、スマートフォン２４やパソコン等で撮影対象物を観察する場合、最初に表示される画像が正面方向であるから、画像の管理を効率化できる。撮影した画像はパソコン等で閲覧することで配線ルートの検討や点検口の位置決め等を行うことができる。
天井内で更に高い位置から撮影したい場合には、支持棒１３に別の支持棒１３を連結するか、その長さを延ばす調整をして、再度撮影すればよい。
また、支持棒１３を使わずに全周の撮影を行うには、支持棒１３を基台３から外して、３本の自立脚部２でパノラマ撮影装置１を自立状態に着座させる。この状態で、支持筒４の外周面のＬＥＤランプ２０を点灯させてスマートフォン２４で撮影すれば、同様に全周、全天球の画像を撮影できる。
【００３４】
上述のように本実施形態によるパノラマ撮影装置１によれば、例えば建物の天井内、床下内、ピット内等の各種の隠蔽部等を撮影する場合、支持筒４の外周面に設けたＬＥＤランプ２０によって全周に亘って照明しながら１回の撮影で３６０度の全周、全天球の撮影対象物を撮影することができる。従来の撮影装置のように各方向別に撮影した複数の撮影データを解析・統合してパノラマ撮影画像を生成する必要がないので、パノラマ撮影装置１を用いて短時間の撮影でパノラマ画像を得ることができる。パノラマ撮影装置１は小型で軽量であるので操作が容易である。
【００３５】
また、パノラマ撮影装置１を天井内、床下内、ピット内等、各種の狭い隠蔽部等に挿入して撮影する際、ＬＥＤランプ２０を設置した支持筒４の先端側により拡径された天板７を設けたため、ＬＥＤランプ２０が天井の穴２６等のエッジや隠蔽部の器物等に接触して損傷することを抑制できる。更に天井の穴２６等からパノラマ撮影装置１を取り外す場合でも、支持棒１３側に設けた拡径された基台３によってＬＥＤランプ２０とパノラマカメラ５を保護できる。
しかも、パノラマ撮影装置１は高所や離れた場所や撮影者が移動困難な狭い場所等の撮影でも、手元のスマートフォン２４等でリモート撮影できる上に撮影画像を容易に確認できる。
【００３６】
なお、本考案によるパノラマ撮影装置１は上述の実施形態に限定されるものではなく、その要旨を逸脱しない範囲で種々の変更や置換等が可能である。以下に変形例や他の実施形態について上述した実施形態と同一または同様な部分、部材には同一の符号を用いて説明する。
【００３７】
例えば、上述した実施形態では、パノラマカメラ５を囲んで支持する支持筒４を円筒状に形成したが、これに限定されることなく、断面略楕円状に形成されていてもよいし、或いは正六角形や正八角形状等の円筒に近い多角形筒状に形成してもよく、これらも略円筒状の支持筒に含められる。
【００３８】
次に本考案によるパノラマ撮影装置１の変形例を図７により説明する。
図７に示すパノラマ撮影装置１において、天板７のパノラマカメラ５の対向する魚眼レンズ６に直交する方向に一対の支柱２８と連結部材２９とが設置されている。しかも、一対の支柱２８はパノラマカメラ５の両側部を挟んで略同一面上の位置に着脱可能に嵌合されている。これら支柱２８及び連結部材２９は門型の保護部材を構成する。支柱２８と連結部材２９をこのように配置することで魚眼レンズ６による撮影画面に写ることを防止できる。なお、保護部材として、支柱２８だけを設置してもよいし、片側の支柱２８と連結部材２９とで略Ｌ字状に形成してもよい。この場合でもパノラマカメラ５の保護が可能である。
そのため、このパノラマ撮影装置１を天井の穴２６内に挿入する際、パノラマカメラ５の先端部が穴２６のエッジ等に接触することを阻止できて損傷を防止できる。
【００３９】
次に第二実施形態によるパノラマ撮影装置３１について図８及び図９により説明する。
本実施形態では、撮影器具３１Ａとして、支持筒３２と、支持筒３２の底部に装着される底部ユニット３３と、支持筒３２内に収納される電池ホルダ３４と、支持筒３２内に装着されてパノラマカメラ５を装着する天板ユニット３５とを備えている。
支持筒３２は円筒状に形成されていて外周面の孔部３２ａに所定間隔でＬＥＤランプ２０が装着されている。支持筒３２の底部には中央開口３ａを有する基台３が連結されている。
底部ユニット３３は、基台３の中央開口３ａに着脱可能に装着する底板９と底板９の内面に形成された対向する押え板３７とを有している。押え板３７は、後述する電池ホルダ３４の電池ケース３９内の電池に当接して電池が外れることを防止している。底板９の中央にはパノラマカメラ５の三脚穴にスペーサビス１２をねじ込むための支持穴９ａが設けられている。
【００４０】
電池ホルダ３４は、中央孔部３４ａの両側に断面略コの字状のホルダ部３４ｂを備えている。ホルダ部３４ｂ内にはそれぞれ電池収納用の電池ケース３９が嵌合され、溶着または接着等で固定されている。底部ユニット３３の押え板３７は電池ケース３９の外側に装着されて電池に当接させ、脱落を抑える。底板９を下から外し、基台３の底部の開口部を通じてスライドすることで電池交換可能である。
図８及び図９に示す天板ユニット３５は、略円板状の天板７と、その中央に形成された中央孔部７ａから下方に延びる有底筒状のカラー４１と、カラー４１の外側で天板７の裏面に形成された略円筒状の内側受け部４２と、を有している。カラー４１はその内部にパノラマカメラ５の下半部が挿入可能な有底筒状に形成され、その底部にはスペーサビス１２を挿通させてパノラマカメラ５の三脚穴に螺合させるための孔部を有している（図９参照）。内側受け部４２は支持筒３２の内側に配設されてＬＥＤランプ２０に当接し、支持筒３２に装着されたＬＥＤランプ２０が押されて引っ込むことを防止している。図９では、内側受け部４２は円筒形状の一部に切欠けを有しているが、切欠けはなくてもよい。
【００４１】
また、天板７と基台３は支持筒３２よりも外周側に突出してＬＥＤランプ２０が内側に位置するように保護している。
本実施形態においても、パノラマカメラ５はスマートフォン２４等の無線情報端末と接続されている。パノラマカメラ５の撮影前の画像をスマートフォン２４で確認してリモートでシャッター操作できる。撮影後の画像を撮影者がスマートフォン２４の画面で目視確認できる。
【００４２】
第二実施形態によるパノラマ撮影装置３１の撮影器具３１Ａは上述した構成を備えており、次にその組み立て方法を説明する。
まず、一対の電池ケース３９を電池ホルダ３４のホルダ部３４ｂに嵌合して溶着等で固定する。次に、電池ホルダ３４の中央孔部３４ａに天板ユニット３５のカラー４１を挿入すると共に内側受け部４２を電池ケース３９の外側に設置する。天板７と電池ホルダ３４をねじ等で互いに固定する。電池ホルダ３４の一対の電池ケース３９には電池をそれぞれ装着する。
これら天板ユニット３５及び電池ホルダ３４を支持筒３２内に装着してねじ等で固定する。その後、支持筒３２の基台３の中央開口３ａから底部ユニット３３の押え板３７を挿入して電池ケース３９の外側から電池に当接させる。これと同時に底板９を基台３に嵌め込み、底部固定ねじ１４によって基台３に固定する。
次に、天板ユニット３５のカラー４１内にパノラマカメラ５の下半部を挿入し、底板９の中央の支持穴９ａを通してスペーサビス１２をパノラマカメラ５の三脚穴にねじ込む。これによって、パノラマ撮影装置３１が得られる。
【００４３】
本第二実施形態によるパノラマ撮影装置３１では、底部ユニット３３に設けた押え板３７で電池ホルダ３４の電池ケース３９に装着した電池を抑えて外れることを阻止できる。しかも、天板ユニット３５の内側受け部４２で、支持筒３２に取り付けたＬＥＤランプ２０が天井の穴２６のエッジに押されても引っ込むことを阻止できる。
【００４４】
上述した各実施形態では、パノラマ撮影装置１、３１としてパノラマカメラ５と撮影器具１Ａ、３１Ａとスマートフォン２４を備えたものについて説明したが、本考案は必ずしもスマートフォン２４を備えていなくてもよく、パノラマカメラ５は無線に代えて配線を介して操作スイッチでリモート撮影してもよい。また、パノラマカメラ５で撮影したパノラマ画像のメモリをパノラマカメラ５から取り出してパソコンやプリンタ等で再生するようにしてもよい。
パノラマカメラ５として、実施形態による本体５ａの両面に魚眼レンズ６を設けたパノラマカメラ５に代えて、一方の面にのみ魚眼レンズ６等の各種のレンズを設けたパノラマカメラ等を用いてもよい。
また、本考案において、自立脚部２である第一支持部材や支持棒１３である第二支持部材は支持部材に含まれる。パノラマカメラ５を取り付ける基台３や底板９は取り付け部に含まれる。
【符号の説明】
【００４５】
１、３１  パノラマ撮影装置
１Ａ、３１Ａ  撮影器具
２  自立脚部
３  基台
４、３２  支持筒
５  パノラマカメラ
６  魚眼レンズ
７  天板
７ａ、３４ａ  中央孔部
７ｂ、４２  内側受け部
９  底板
１０  スペーサ板
１２  スペーサビス
１３  支持棒
１４  底部固定ねじ
１５  インサートナット
１７  キャップ
１８、３９  電池ケース
２０  ＬＥＤランプ
２２  照明スイッチ
２４  スマートフォン
２６  穴
２８  支柱
２９  連結部材
３３  底部ユニット
３４  電池ホルダ
３４ｂ  ホルダ部
３５  天板ユニット
３７  押え板
４１  カラー
【図１】
0003212609.tif 000003
【図２】
0003212609.tif 000004
【図３】
0003212609.tif 000005
【図４】
0003212609.tif 000006
【図５】
0003212609.tif 000007
【図６】
0003212609.tif 000008
【図７】
0003212609.tif 000009
【図８】
0003212609.tif 000010
【図９】
0003212609.tif 000011